(57)【特許請求の範囲】
【請求項１】
弾性シート状をなし、表面に缶、瓶その他の販売商品を表示した商品表示体と、該商品表示体を円弧状に湾曲させた状態で保持する表示体支持部材とを有し、前記表示体支持部材は、前記商品表示体の上縁部に当接する天板部と、下縁部に当接する底板部とを有するとともに、該天板部と底板部とを連結する縦向連結部とを有し、該縦向連結部は、天板部と一体の天板側連結部材と、底板部と一体の底板側連結部材とを有し、該天板側連結部材と底板側連結部材とを前後に重ねた状態で互いに縦方向にスライド自在に係合させ、該両連結部材間をスライドさせることによって、前記天板部と底板部との間隔を変更できるようにしてなる自動販売機用商品見本において、
前記天板側及び底板側の両連結部材は、横断面を互いに前後に重なり合う円弧状に形成し、該前面側に位置する連結部材の背面両縁部に一対の縦向の係合用凸条を一体に備えるとともに、後側の前記連結部に前記係合用凸条がスライド自在に嵌合した係合用凹溝を備えて前記天板側連結部材と底板側連結部材とを上下方向にのみ互いにスライド自在に係合させ、前記前側に位置する連結部材の前面を略平滑な円弧状面となすとともに、該連結部材の前面中央部分に、幅方向の寸法が異なった大小の見本表示体の側縁がそれぞれ当接される複数の見本表示体側縁当接突起を備え、かつ前記前側に位置する連結部材の背面中央部分に縦向の節度用凸条を一体に突出させるとともに、前記後側に位置する連結部材の前面中央部分に前記節度用凸条が上下方向にスライド自在に嵌合される節度用凹溝を備え、前記節度用凸条の側面の所定位置に上下方向に間隔を隔てて節度用凹欠部を備え、前記節度用凹溝の内側面に前記節度用凹欠部に落ち込む節度用係合突起を備え、該節度用係合突起は、前記節度用凹溝の内側面に備えた弾性部に一体に突設したことを特徴としてなる自動販売機用商品見本。
【請求項２】
後側の連結部材における節度用係合突起が突設された弾性部は、節度用凹溝内側面から弾性部を構成するための厚みを隔てた位置に、該連結部材の前後に貫通して開口させた長穴状の貫通孔を形成することにより形成してなる請求項１に記載の自動販売機用商品見本。
【発明の詳細な説明】
【０００１】
【発明の属する技術分野】
本発明は、主として、缶又は瓶入りの清涼飲料や酒類を販売する自動販売機の商品見本展示窓内に設置する自動販売機用商品見本に関する。
【０００２】
【従来の技術】
従来、この種の自動販売機用商品見本としては、その照明方式として、商品見本の底部からその内部を照明するアンダーライト方式と、商品見本の背部からその内部を照明するバックライト方式がある。これらの方式は、何れも商品表示体として透光性のフィルムを使用し、該フィルムに商品と同じ印刷を施し、商品見本内部から照明するものであり、商品見本が鮮明に浮き出るような照明がなされ、商品イメージを高め、購買欲を惹起させる点で優れている。
【０００３】
また、これらの商品見本は、色あせが生じると、商品イメージを低下させ、著しく消費者の購買欲を低下させることが経験的に判明しており、このため、商品見本を常に新しくしておく必要がある。
【０００４】
このため、従来は、商品見本展示用ステージに対して着脱自在な表示体支持部材に、前述した商品表示体を取換え可能に支持させ、短期間毎の取換えであっても低コストで行えるようにしている。
【０００５】
また、一般に缶入りの清涼飲料には、例えば、頂部の直径が胴部より小さくなった所謂肩付きの缶の場合、２８０ｍｌ缶、３５０ｍｌ缶、５００ｍｌ缶の３種類があり、また、胴部と頂部が略同径の所謂ストレート缶にあっては、１７０ｍｌ缶、１９０ｍｌ缶、２５０ｍｌ缶等各種の大きさのものがあり、これらを販売する自動販売機では、場所、地域、季節等の条件や新製品の発売等によって販売商品を適宜変更している。このように販売商品を変更する場合には、当然に商品見本もこれに対応させて変更する必要がある。そこで、商品見本の変更をより低コストで行うべく、大きさや形状の異なった缶及び瓶の商品見本を表示した複数種類の形状の異なった表示体を、これらに共通の表示体支持部材に着脱可能とし、表示体支持部材の種類を減らすことによって、表示体に比べて寿命の長い表示体支持部材の数量を減少させるようにした各種の自動販売機用商品見本が提案されている。
【０００６】
異なった高さの商品表示体を、１つの表示体支持部材に取換え使用できるようにしたものとして、特開平２００１−１４２１４０号に示されるように、表示体支持部材を上下に２分し、両者を上下にスライド可能に係合させた構造としたものがある。
【０００７】
【発明が解決しようとする課題】
一般に、従来の清涼飲料水やビールその他の酒類等の自動販売機においては、飲料メーカー毎に専用の商品見本を使用していた。従って、商品見本を構成する商品表示体及び表示体支持部材は、飲料メーカー毎にその大きさが違っており、商品表示体と表示体支持部材との組合せは、同一飲料メーカーの専用品限られ、異なった飲料メーカー品相互間の組合せ使用はできなかった。
【０００８】
一方、近年において、異なった飲料メーカー相互間でも、商品表示体と表示体支持部材との組合せ使用を可能にし、商品見本のコストを低減し、経済性を高めたいとする要望がある。
【０００９】
しかし、各飲料メーカー毎に異なった寸法の商品表示体及び表示体支持部材が大量に現存する状態で、同時に全てを同一寸法に統一することは、却ってコスト高を招くという問題がある。
【００１０】
本発明は、このような状況に鑑み、高さの異なった複数種類の商品表示体を取換え使用可能な従来の自動販売機用商品見本において、更に幅の異なった複数の商品表示体をも取換え使用できるようにし、同一飲料メーカー内における複数種類の商品見本のみならず、現存する異なった飲料メーカーの商品表示体にも互換性を有する自動販売機用商品見本の提供を主目的とし、更にかかる目的を達成できる自動販売機用商品見本を、より使いやすいものを簡単な構造で廉価に製造できるようにすることを目的としてなされたものである。
【００１１】
【課題を解決するための手段】
上述の如き従来の問題を解決し、所期の目的を達成するための本発明の特徴は、弾性シート状をなし、表面に缶、瓶その他の販売商品を表示した商品表示体と、該商品表示体を円弧状に湾曲させた状態で保持する表示体支持部材とを有し、前記表示体支持部材は、前記商品表示体の上縁部に当接する天板部と、下縁部に当接する底板部とを有するとともに、該天板部と底板部とを連結する縦向連結部とを有し、該縦向連結部は、天板部と一体の天板側連結部材と、底板部と一体の底板側連結部材とを有し、該天板側連結部材と底板側連結部材とを前後に重ねた状態で互いに縦方向にスライド自在に係合させ、該両連結部材間をスライドさせることによって、前記天板部と底板部との間隔を変更できるようにしてなる自動販売機用商品見本において、
前記天板側及び底板側の両連結部材は、横断面を互いに前後に重なり合う円弧状に形成し、該前面側に位置する連結部材の背面両縁部に一対の縦向の係合用凸条を一体に備えるとともに、後側の前記連結部に前記係合用凸条がスライド自在に嵌合した係合用凹溝を備えて前記天板側連結部材と底板側連結部材とを上下方向にのみ互いにスライド自在に係合させ、前記前側に位置する連結部材の前面を略平滑な円弧状面となすとともに、該連結部材の前面中央部分に、幅方向の寸法が異なった大小の見本表示体の側縁がそれぞれ当接される複数の見本表示体側縁当接突起を備え、かつ前記前側に位置する連結部材の背面中央部分に縦向の節度用凸条を一体に突出させるとともに、前記後側に位置する連結部材の前面中央部分に前記節度用凸条が上下方向にスライド自在に嵌合される節度用凹溝を備え、前記節度用凸条の側面の所定位置に上下方向に間隔を隔てて節度用凹欠部を備え、前記節度用凹溝の内側面に前記節度用凹欠部に落ち込む節度用係合突起を備え、該節度用係合突起は、前記節度用凹溝の内側面に備えた弾性部に一体に突設したことにある。
【００１２】
尚、後側の連結部材における節度用係合突起が突設された弾性部は、節度用凹溝内側面から弾性部を構成するための厚みを隔てた位置に、該連結部材の前後に貫通して開口させた長穴状の貫通孔を形成することにより形成することが好ましい。
【００１３】
【発明の実施の形態】
次に本発明の実施の形態を図面について説明する。
【００１４】
図において、Ａは本発明に係る商品見本であり、Ｂは自動販売機の前面扉に備えた商品見本陳列窓、Ｃは該陳列窓Ｂ内に棚状に設置した商品見本展示用ステージである。
【００１５】
商品見本展示用ステージＣは、水平配置の見本設置部１とその前縁を下向きに垂下させた形状の価格等表示部２とを有し、内部に蛍光灯からなる光源３が設置されている。見本設置部１には複数の見本着脱孔４が開口されており、この見本着脱孔４にそれぞれ商品見本Ａが着脱されるようになっているとともに、該見本着脱孔４を通して光源３により商品見本Ａの内部を照明するようになっている。
【００１６】
商品見本Ａは、商品の外観を印刷した弾性シート状の商品表示体１０と、これを取換え可能に支持し、商品見本展示用ステージＣに着脱自在に設置する表示体支持部材１１とから構成されている。
【００１７】
商品表示体１０は、図２に示すように、透光性を有する合成樹脂製の弾性シート状材に販売商品と同じデザインを印刷して構成され、これを円弧状に湾曲させ、表示体支持部材１１に装着されることによって販売商品と略同様の外形形状となるように構成されている。
【００１８】
表示体支持部材１１は、上下の向きに対向するそれぞれが略円形をした天板部１２ａ及び底板部１２ｂと、前記両板部１２ａ，１２ｂの背縁間を連結する縦向連結部１３とから構成されており、天板部１２ａと底板部１２ｂ間に前述した商品表示体１０を略円筒形状に丸めた状態で保持させるようになっている。
【００１９】
この表示体支持部材１１は、上半体１１ａと下半体１１ｂとをもって構成されており、上半体１１ａは、前述した天板部１２ａと、その背縁部下側に一体に成形された天板側連結部１３ａとから構成されている。また、下半体１１ｂは、前述した底板部１２ｂと、その背縁部上側に一体に成形された底板側連結部１３ｂとから構成されている。
【００２０】
この両半体１１ａ，１１ｂの各連結部１３ａ，１３ｂを前後配置に重ね、上下にスライド自在に係合させて伸縮可能な縦向連結部１３を構成している。この天板側連結部１３ａ及び底板側連結部１３ｂはそれぞれ横断面が互いに嵌り合う円弧状に成形されており、天板側連結部１３ａ前面側に、底板側連結部１３ｂを背面側にして互いに前後に重ねられている。
【００２１】
前面側に位置する天板側連結部材１３ａの背面には、その両側縁部近くに一対の係合用凸条１５ａ，１５ａが縦方向に突設されている、この凸条１５ａ，１５ａは、図７に示すように突出端側が互いに離反する方向に外側に向けて突設されている。
【００２２】
背面側に位置する底板側連結部材１３ｂの前面には、前記凸条１５ａ，１５ａが嵌り合う係合用凹溝１５ｂ，１５ｂが形成されている。この凹溝１５ｂ，１５ｂは、その奥側が互いに離反する向きに形成され、この凹溝１５ｂ，１５ｂ内にその上端部より前述した係合用凸条１５ａ，１５ａを挿入することにより、前後方向に抜け止めされた係合状態で、上下方向互いにスライドできるようになっている。
【００２３】
天板側連結部材１３ａの背面側中央部分には、上下方向に長い縦向の節度用凸条２０ａが一体に突設されている。この節度用凸条２０ａの両側面には、上下に間隔を隔てて３箇所に節度用凹欠部２１ａ，２１ｂ，２１ｃが形成されているとともに、背面の下端部にストッパー用突起２３が突設されている。このストッバー用突起２３は、下側面が後方斜め上側に傾斜させたテーパー面となった逆止爪状をしている。
【００２４】
一方底板側連結部材１３ｂの前面中央には、前記節度用凸条２０ａが嵌り合う節度用凹溝２０ｂが、前後に貫通して縦長の窓穴状に形成されている。この凹溝２０ｂの上端部背面には、両縁間に、即ち凹溝幅方向に掛け渡した配置にストッパー用リブ２４が一体に備えられている。
【００２５】
また節度用凹溝２０ｂの上端部梢下側位置には、その両側内面に節度用係合突起２２が一体に突出成形されている。この節度用係合突起２２は、節度用凹溝２０ｂの両側内面に形成した弾性部２５の中央部分に形成されている。弾性部２５は、節度用凹溝２０ｂの内縁から弾性部２５の厚み分だけ残した外側に、底板側連結部材１３ｂの前後に貫通して長方形の長穴状をした貫通孔２６を開口させることによって形成している。
【００２６】
このように構成される天板側連結部材１３ａ及び底板側連結部材１３ｂは、係合用凸条１５ａ，１５ａを係合用凹溝１５ｂ，１５ｂに、また、節度用凸条２０ａを節度用凹溝２０ｂにそれぞれの端部を整合させる。この状態で上下方向にスライドさせて両者を前後配置に重ね合わせることによって組立がなされる。
【００２７】
このとき、節度用凸条２０ａの下端背面に突出しているストッパー用突起２３が、節度用凹溝２０ｂの上端部のストッパー用リブ２４を弾性的に押し広げて通過し、その通過後にストッパー用リブ２４が元に戻り、ストッパー用突起２３の逆向きの通過が阻止され、これによって天板側連結部材１３ａと底板側連結部材１３ｂが最も伸長された状態で外れ止めがなされるようになっている。
【００２８】
このように天板側連結部材１３ａと底板側連結部材１３ｂとが前後に重なり合うように組立てられた状態で上下方向に互いにスライドさせ、節度用係合突起２２が、何れかの節度用凹欠部２１ａ，２１ｂ又は２１ｃに弾性的に嵌り合うことによって、縦向連結部１３が所望の長さとなり、その位置で天板側連結部材１３ａと底板側連結部材１３ｂとのスライド抵抗が大きくなるように節度が発生するように構成されている。
【００２９】
天板側連結部材１３ａの前面側は、略平滑な円弧状をなしており、その弧状の両縁部梢内側に一対の見本表示体側縁当接突起２８ａ，２８ａが突設されているとともに、弧状の中央部に見本表示体側縁当接突起２８ｂ，２８ｂが突設されている。これらの突起２８ａ，２８ａ及び２８ｂ，２８ｂは、それぞれ、幅方向の寸法が異なった大小の見本表示体１０の側縁を当接させて周方向の移動を阻止させるものであり、中央部側の突起２８ｂ，２８ｂが高く両縁部側の突起２８ａ，２８ａが低く形成されている。
【００３０】
天板部１２ａ及び底板部１２ｂの対向面には、周縁部に短円筒状をした見本表示体上縁ガイド凸条３０，３０が突設され、それぞれの内側に図１１に示すように、テーパー状のガイドリブ３１，３１…が放射状に多数備えられ、該ガイドリブ３１と凸条３０との間が、見本表示体１０の上下の縁部が嵌り合うガイド溝３２となっている。
【００３１】
このように構成される表示体支持部材１１は、天板部１２ａと底板部１２ｂとの間隔が、装着しようとする見本表示体１０の高さより広くなるように引き伸ばし、この状態で見本表示体１０を、その幅に応じて前記見本表示体側縁当接突起２８ａ又は２８ｂのいずれかを選択してその側縁をこれらに当接させ、この状態で天板部１２ａと底板部１２ｂとの間を狭める方向にスライドさせることによって見本表示体１０が装着される。
【００３２】
底板部１２ｂには中央に光透過孔４０が開口され、該光透過孔４０の周縁部下面には、短筒状のステージ係合用筒部４１が一体成形されている。このステージ係合用筒部４１には、左右の対称な位置にストッパー突起部４２が形成されている。
【００３３】
一方前述した商品見本展示用ステージＣの見本設置部１に開けた見本着脱孔４には、ストッパー突起部４２が通過する着脱用切欠部４３が設けられ、前記ストッパー突起部４２をこの着脱用切欠部４３に整合させて、前記ステ−ジ嵌合筒部４１を見本着脱孔４に嵌合させ、この状態で旋回させることにより前記ストッパー突起部４２が見本設置部１の下側に入り、ステージ嵌合筒部４１が抜け止めされるようになっている。
【００３４】
上述した商品見本Ａを構成する表示体支持部材１１は、３位置に節度用凹欠部２１ａ，２１ｂ，２１ｃが設けられ、それぞれの位置に節度用係合突起２２が嵌り合うことによって、３種類の高さに変更でき、高さが３種類の見本表示体１０に対応できる。
【００３５】
また、見本表示体側縁当接突起２８ａと２８ｂとを選択使用することによって図３に示すように、幅の異なった２種類の見本表示体１０に対応でき、高さ及び／又は幅を違えた６種類の大きさの違った見本表示体１０をそれぞれ取換え支持できる。
【００３６】
尚、上述した商品表示体は、方形状の弾性シート状材からなる所謂ストレート缶を示しているが、この他、胴部に比べて頂面の径が小さい所謂肩付き缶形状のものであってもよく、この場合には、その形状に合わせて天板部の直径を底板部より小さく形成する。
【００３７】
【発明の効果】
上述のように、本発明に係る自動販売機用商品見本は、天板部と底板部とを連結する縦向連結部とを有する表示体支持部材を使用し、縦向連結部を縦方向にスライド自在な天板側連結部材と底板側連結部材とをもって構成することによって天板部と底板部との間隔を変更できるようにしてなる自動販売機用商品見本において、前記天板側及び底板側の両連結部材は、横断面を互いに前後に重なり合う円弧状に形成し、該前面側に位置する連結部材の背面両縁部に一対の縦向の係合用凸条を一体に備えるとともに、後側の前記連結部に前記係合用凸条がスライド自在に嵌合した係合用凹溝を備えて前記天板側連結部材と底板側連結部材とを上下方向にのみ互いにスライド自在に係合させ、前記前側に位置する連結部材の前面を略平滑な円弧状面となすとともに、該連結部材の前面中央部分に幅方向の寸法が異なった大小の見本表示体の側縁がそれぞれ当接される複数の見本表示体側縁当接突起を備えたことによって、取換え使用される見本表示体が、上下方向の寸法変化のみならず、幅の違った商品見本表示体をも変更使用することができ、取換え使用できる見本表示体の範囲が広がり、経済性が向上する。
【００３８】
また、上記特徴の自動販売機用商品見本において、前側に位置する連結部材の背面中央部分に縦向の節度用凸条を一体に突出させ、後側に位置する連結部材の前面中央部分に前記節度用凸条が上下方向にスライド自在に嵌合される節度用凹溝を備え、前記節度用凸条の側面の所定位置に上下方向に間隔を隔てて節度用凹欠部を備えるとともに、前記節度用凹溝の内側面に前記節度用凹欠部に落ち込む節度用係合突起を備え、該節度用係合突起は、前記節度用凹溝の内側面に備えた弾性部に一体に突設することによって上下方向のスライド節度機構を構成することによって、より簡単な構造で節度機構が構成でき、高さの異なった見本表示体の装着が容易となり、かつ安定した装着状態が得られる。
【００３９】
更に、上記特徴の自動販売機用商品見本において、後側の連結部材における節度用係合突起が突設された弾性部は、節度用凹溝内側面から弾性部を構成するための厚みを隔てた位置に、該連結部材の前後に貫通して開口させた長穴状の貫通孔を形成することにより形成することにより、弾性力の大きい弾性部が、より簡単な構造で容易にモールド成形することができる。
【図面の簡単な説明】
【図１】本発明に係る自動販売機用商品見本の実施の一例を示す断面図である。
【図２】図１中の商品見本を示す分解斜視図である。
【図３】同上の見本表示体の取り付け状態を示す断面図である。
【図４】図２中の上半体を示す正面図である。
【図５】同上の背面図である。
【図６】図４中のＢ−Ｂ線断面図である。
【図７】同上のＣ−Ｃ線断面図である。
【図８】図２中の下半体を示す正面図である。
【図９】同上の平面図である。
【図１０】図８中のＤ−Ｄ線断面図である。
【図１１】商品表示体保持用のガイド溝を示す部分拡大断面図である。
【図１２】商品見本展示用ステージに対する表示体支持部材の係合状態を示す説明用部分断面図である。
【符号の説明】
Ａ  商品見本
Ｂ  商品見本陳列窓
Ｃ  商品見本展示用ステージ
１  見本設置部
２  表示部
３  光源
４  見本着脱孔
１０  商品表示体
１１  表示体支持部材
１１ａ  上半体
１１ｂ  下半体
１２ａ  天板部
１２ｂ  底板部
１３  連結部
１３ａ  天板側連結部
１３ｂ  底板側連結部
１５ａ  係合用凸条
１５ｂ  係合用凹溝
２０ａ  節度用凸条
２０ｂ  節度用凹溝
２１ａ，２１ｂ，２１ｃ  節度用凹欠部
２２  節度用係合突起
２３  ストッパー用突起
２４  ストッパー用リブ
２５  弾性部
２６  貫通孔
２８ａ  見本表示体側縁当接突起
２８ｂ  見本表示体側縁当接突起
３０  見本表示体上縁ガイド凸状
３１  ガイドリブ
３２  ガイド溝
４０  光透過孔
４１  ステージ係合用筒部
４２  ストッパー突起部
４３  着脱用切欠部
【図１】
0003584376.tif 000002
【図２】
0003584376.tif 000003
【図３】
0003584376.tif 000004
【図４】
0003584376.tif 000005
【図５】
0003584376.tif 000006
【図６】
0003584376.tif 000007
【図７】
0003584376.tif 000008
【図８】
0003584376.tif 000009
【図９】
0003584376.tif 000010
【図１０】
0003584376.tif 000011
【図１１】
0003584376.tif 000012
【図１２】
0003584376.tif 000013